(57)【要約】【課題】有機溶剤を用いて、封印ラベルを貼付体から剥がそうとする行為に対して、その痕跡を残すと同時に、復元して再利用が不可能な封印ラベルを提供することにある。【解決手段】ラベル基材１の一方の面に貼付体に貼り付けるための粘着材４を設けて、ラベル基材１の他方の面上に溶剤反応インキ層２を設け、この溶剤反応インキ層２の一部に積層するようにパターンに形成されたＯＶＤ機能層３を設けて構成した。【選択図】図２
2014178345.tif 000002
【特許請求の範囲】
【請求項１】
一方の面上に貼付体に貼り付けるための粘着材が設けられたラベル基材と、
このラベル基材の他方の面上に積層されて設けられた溶剤反応インキ層と、
この溶剤反応インキ層の一部に積層されてパターン形成されたＯＶＤ機能層と、
を具備することを特徴とする封印ラベル。
【請求項２】
前記溶剤反応インキ層は、有機溶剤に溶解する染料もしくは顔料および樹脂で構成され、有機溶剤によって溶解し、染料もしくは顔料が拡散して滲む、もしくは流出して消色することを特徴とする請求項１に記載の封印ラベル。
【請求項３】
前記ラベル基材は、紙繊維からなる材料、もしくは、多孔質なフィルム材料を用いたことを特徴とする請求項１又は２に記載の封印ラベル。
【請求項４】
前記溶剤反応インキ層がパターンで印刷され、そのパターンに位置を合わせて前記ＯＶＤ機能層がパターン形成されることを特徴とする請求項１乃至３のいずれかに記載の封印ラベル。
【発明の詳細な説明】
【技術分野】
【０００１】
本発明は、例えば商品やその包装物に貼り付けて使用する封印ラベルに係り、特に、その貼付体から溶剤を用いて剥がそうとした際にその痕跡を残すと同時に、復元して再利用することが不可能な構成を有するものに関する。
【背景技術】
【０００２】
近年、高級酒などの比較的高価な商品や電化製品の消耗品など、偽造されては困る物品などにおいては、それらの真贋を判定するために、商品本体やそれを包装したケース等に封印ラベルを貼り付けることが行われている。
【０００３】
ところが、不正業者などが、正規物品を偽造した不正物品を扱う場合には、正規物品に貼り付けられている封印ラベルと類似の封印ラベルをその不正物品にも貼り付けることにより、購入者に対して正規物品と不正物品とを見分け難くすることができてしまう。また、ラベルはがし液等を封印ラベルに染み込ませることにより綺麗に剥がして、封印ラベルを使い回す事も可能である。
【０００４】
そこで、有機溶剤で溶解して印刷パターンが消失するようなインキ等を用いて、その痕跡を残す封印ラベル等が提案されている（例えば、特許文献１参照）。また、ホログラムや蛍光インキ等と、有機溶剤で流れ落ちる油性インキを組み合わせて、偽造防止効果を高める手法も提案されている（例えば、特許文献２参照）。
【先行技術文献】
【特許文献】
【０００５】
【特許文献１】特開２００８−１３９４９８号公報
【特許文献２】実用新案登録第３１１３２６４号公報
【発明の概要】
【発明が解決しようとする課題】
【０００６】
しかしながら、上記封印ラベルでは、多量の有機溶剤に浸漬させることによってインキを全て洗い流した後、色味の似たインキを同様に印刷することによって、類似した封印ラベルに復元することは可能であるという問題を有する。また、類似した封印ラベルを偽造することも可能であり、真贋判定の精度が劣るという問題を有する。
【０００７】
本発明は、上記の事情に鑑みてなされたものであって、有機溶剤を用いて封印ラベルを貼付体から剥がそうとする行為に対して、その痕跡を残すと同時に、復元して再利用が不可能な封印ラベルを提供することを目的とする。
【課題を解決するための手段】
【０００８】
請求項１に係る発明は、一方の面上に貼付体に貼り付けるための粘着材が設けられたラベル基材と、このラベル基材の他方の面上に積層されて設けられた溶剤反応インキ層と、
この溶剤反応インキ層の一部に積層されてパターン形成されたＯＶＤ機能層とを備えて封印ラベルを構成したことを特徴とする。
【０００９】
請求項２に係る発明は、請求項１に記載の封印ラベルにおいて、溶剤反応インキ層を、有機溶剤に溶解する染料もしくは顔料および樹脂で構成され、有機溶剤によって溶解し、染料もしくは顔料が拡散して滲む、もしくは流出して消色されるように構成したことを特徴とする。
【００１０】
請求項３に係る発明は、請求項１又は２に記載の封印ラベルにおいて、ラベル基材を、紙繊維からなる材料、もしくは、多孔質なフィルム材料を用いて構成したことを特徴とする。
【００１１】
請求項４に係る発明は、請求項１乃至３のいずれか記載の封印ラベルにおいて、溶剤反応インキ層をパターンで印刷して、そのパターンに位置を合わせてＯＶＤ機能層がパターン形成されるように構成したことを特徴とする。
【発明の効果】
【００１２】
本発明によれば、商品に貼られた封印ラベルを有機溶剤を用いて貼付体から剥がそうとすると、溶剤反応インキが溶解してそのパターンが変形もしくは消失し、その痕跡を残す事ができ、ＯＶＤ機能層の下部にある溶剤反応インキ層の染料もしくは顔料が流れず変化しないため、その違いを目視で認識することができ、偽造行為を明確に判定することができる。また、溶剤反応インキ層がパターンで印刷され、その一部に積層するように位置を合わせてパターン状のＯＶＤ機能層が設けられていることにより、有機溶剤によって色が消失した溶剤反応インキ層に色味の似たインキを用いて同様に印刷しても、高度な位置合わせ精度が必要なため、元通りに復元することが困難なため、偽造防止の促進を実現することができる。
【図面の簡単な説明】
【００１３】
【図１】本発明の一実施の形態に係る封印ラベルの配置構成を示した平面図である。
【図２】図１のＸ−Ｙを断面して示した断面図である。
【図３】図１のＯＶＤ転写箔材を断面して示した断面図である。
【図４】図１の封印ラベルを、ヘキサン溶剤を用いて貼付体から剥がした後の表面を示した平面図である。
【図５】本発明の他の実施の形態に係る封印ラベルの要部を断面して示した断面図である。
【発明を実施するための形態】
【００１４】
以下、本発明の実施の形態に係る封印ラベルについて、図面を参照して説明する。
【００１５】
図１は、本発明の一実施の形態に係る封印ラベルＡを示すもので、ラベル基材１は、例えば矩形シート状に形成される。ラベル基材１には、図２に示すようにその一方の面に接着層（接着材）４が設けられ、この接着層４を用いて図示しない貼付体に貼付けられる。
【００１６】
接着層４の表面には、容易に剥離できるような剥離シート５が仮粘着されている。剥離シート５としては、紙製又はプラスチック製のシートにシリコン樹脂などの離型剤層がコーティングなどによって積層されているセパレータが用いられる。
【００１７】
また、上記ラベル基材１の他方の面には、溶剤反応インキ層２（２１a、２１ｂ、２２a、２２ｂ）がパターン状に印刷されて設けられ、この溶剤反応インキ層２（２１a、２１ｂ、２２a、２２ｂ）上の一部には、パターン形成されたＯＶＤ機能層３が積層されて設けられる。
【００１８】
上記溶剤反応インキ層２（２１a、２１ｂ、２２a、２２ｂ）は、ラベル全面に、複雑なパターンで印刷することが好ましい。また、有機溶剤を用いてラベルを剥がした痕跡が残るように、溶剤反応インキ層２（２１a、２１ｂ、２２a、２２ｂ）には、染料もしくは顔料とそれらを支持するバインダー樹脂を含んでいる。
【００１９】
不正行為には、極性の高い溶剤から非極性有機溶剤等が用いられるため、上記染料は、各種有機溶剤に溶解する材料を選定する。また、バインダー樹脂も同様に、有機溶剤に溶解して拡散、溶出する必要があるため、各種有機溶剤に溶解する材料を選定する。
【００２０】
そして、極性の高い溶剤から非極性有機溶剤まで溶解する材料は、限定される。例えば、溶剤反応インキ層２は、エタノールのような極性の高い有機溶剤に溶解する染料および樹脂からなるインキを用いた溶剤反応インキ層２１a、２１ｂ、ヘキサンのような非極性有機溶剤に溶解する染料および樹脂からなるインキを用いた溶剤反応インキ層２２a、２２ｂの２色に分けて印刷することも可能である。
【００２１】
溶剤反応インキ層２１a、２１bに用いられる樹脂としては、ブチラール等があげられ、溶剤反応インキ層２２a、２２bに用いられる樹脂としてはブタジエンゴム（BR）、スチレンブタジエンゴム（SBR）、天然ゴムなどがあげられる。
【００２２】
ＯＶＤ機能層３は、転写箔として、溶剤反応インキ層２の一部を覆うように積層して設けられる。ＯＶＤ転写箔材Ｂの作製方法としては、一般的な方法が可能である。例えば、図３に示すように、ＯＶＤ機能層支持体（以下、支持体）３１に剥離保護層３２を塗布し、その上にエンボス加工を施したホログラム形成層３３を設け、さらにアルミ薄膜層３４、マスク層３５、接着層３６を設けた構成があげられる。ラベル基材１上にＯＶＤ転写箔材Ｂをのせて一定の加熱加圧をかけることでＯＶＤ機能層３を形成する。
【００２３】
ＯＶＤ機能層３としては、溶剤反応インキ層２の変化が目視で確認できるように、パターン状に形成することが必要である。例えば、アルミ蒸着膜でホログラムを作製した後に、エッチング法を用いてパターン状に蒸着膜を切る方法がとられる。
【００２４】
他にも、隠蔽性を示さない方法であれば適宜使用できる。例えば、見る角度により色の変化（カラーシフト）を生じさせる方法として、光学特性の異なるセラミックスの薄膜を多層に積層して多層薄膜構造とさせる方法を用いることもできる。
【００２５】
また、ＯＶＤ機能層３の剥離保護層３２は、最終的にはラベル基材１上の最表面に位置する。従って、溶剤を用いて剥離しようとする不正行為に対してＯＶＤ機能層３が変形しないように、剥離保護層３２は、耐溶剤性の高い材料が用いられている。
【００２６】
そのため、その下に位置する溶剤反応インキ層２１a、２２aは、溶剤を用いた不正行為に対しても溶剤が浸透しないため、変化しない。また、ラベル基材１の下面から溶剤が浸透することも想定されるが、剥離保護層３２が動かないため溶剤反応インキ層内の染料等も流れず、変化しないことが確認されている。
【００２７】
一方、剥離保護層３２の下に位置しない溶剤反応インキ層２１ｂ、２２ｂは、有機溶剤を用いると、溶剤反応インキが溶解してそのパターンが変形もしくは消失する。従って、例えばヘキサンを用いて封印ラベルＡを剥離した場合には、図４に示すように、その違いを目視で認識することができ、偽造行為を明確に判定することができる。
【００２８】
前述したように、ＯＶＤ機能層３は、ラベル基材１上にＯＶＤ転写箔材Ｂをのせて一定の加熱加圧をかけることで形成される。その際、加熱した金属製の版（転写版）を使用して、所定のサイズや形状にＯＶＤ機能層３を形成することができる。このとき、転写版の形状を複雑にすることが好ましい。即ち、図１に示すように、ＯＶＤ機能層３を複雑な形状にすることができる。よって、有機溶剤によって色が消失した溶剤反応インキ層２１ｂ、２２ｂに色味の似たインキを用いて同様に印刷しても、変化しなかった溶剤反応インキ層２１a、２２aとの高度な位置合わせが必要となるため、封印ラベルを元通りに復元することは困難になる。さらに、溶剤反応インキ層２のパターン形状と位置を合わせることにより、より複雑にすることも可能である。
【００２９】
ラベル基材１は、アート紙、コート紙、上質紙などの紙繊維からなる材料、合成繊維からなる不織布、もしくは、多孔質なフィルム材料等、溶剤浸透性の高い材料を用いることが好ましい。
【００３０】
不正にラベルを剥離するには、ラベルの外周より有機溶剤を浸透させる必要がある。さらに、ラベル表面が変化しないようにラベル下面を狙って有機溶剤を浸透させてラベルを剥離する事も考えられる。本発明の封印ラベルは、前述したように溶剤浸透性の高い材料であるため、有機溶剤がラベル基材１に浸透してラベル表面まで到達して、溶剤反応インキ層２を溶解してその痕跡を残す事ができる。
【００３１】
さらに、上記接着層４は、図５に示すようにラベル全面を覆わず、パターン（例えばライン状）に設けるようにしてもよい。この場合、接着層４の下部を狙って有機溶剤を浸透させてラベルを剥がす不正行為に対しても、ラベル基材１にまで有機溶剤を浸透させてその痕跡を残す事が可能となる。即ち、接着層４がなく空隙の部分４１を通って有機溶剤がラベル基材１にまで浸透させることができる。
【００３２】
接着層４の材料としては、アクリル系の熱接着剤、ホットメルト樹脂（例えば、ポリアミド、ウレタン、ＥＶＡ等）、あるいは粘着剤等などをもちいることができる。
【００３３】
上記構成によれば、有機溶剤を用いて貼付体（図示せず）から剥がそうとすると、溶剤反応インキ層２が溶解してそのパターンが変形もしくは消失し、その痕跡を残す事ができる。その際、ＯＶＤ機能層３の下部にある前記溶剤反応インキ層２１a、２２aは、剥離保護層３２によって保護されているために変化しない。従って、その違いを目視で認識することができ、偽造行為を明確に判定することができる。
【００３４】
また、溶剤反応インキ層２がパターンで印刷されており、その一部に積層するように位置を合わせてパターン状のＯＶＤ機能層３が設けられているので、有機溶剤によって色が消失した溶剤反応インキ層２に色味の似たインキを用いて同様に印刷しても、高度な位置合わせ精度が必要であるため、封印ラベルＡを元通りに復元することは困難となる。
【実施例】
【００３５】
次に、本発明の実施の形態に基づく実施例と、比較例とをそれぞれ作製して比較検討する。
【００３６】
＜実施例＞
（１）溶剤反応インキ層の印刷
厚み５０μｍコート紙からなるラベル基材（幅６０ｍｍ、長さ３９ｍｍ）に、フレキソ印刷により、溶剤反応インキ層２種類をパターンで印刷した。
【００３７】
〔溶剤反応インキ２１〕
ブチラールBL-1（積水化学製）      …  ２０重量部
IPA（イソプロピルアルコール）      …  ８０重量部
染                                …  ２重量部
〔溶剤反応インキ２２〕
ポリブタジエンゴムBR51（JSR製）  …  １０重量部
トルエン                          …  ９０重量部
染料                              …  ２重量部
（２）ＯＶＤ転写箔の作製
厚み２５μｍの透明ポリエチレンテレフタレート（ＰＥＴ）フィルムから成る支持体に下記の剥離性保護層、下記のＯＶＤ形成層をグラビア法にて各々１μｍ塗布し、次いで、ロールエンボス法によりＯＶＤレリーフパターンを形成した（図４参照）。その後、真空蒸着法を用いて膜厚０．０５μｍのアルミ薄膜層を設けた上に、細かいパターン状にマスクインキを印刷した後、アルカリエッチング法を用いてパターン状のＯＶＤ転写箔材を作製した。
【００３８】
〔剥離保護層３２〕
アクリル                          …  １０重量部
ポリエチレンＷＡＸ                …  ０．１重量部
ＭＥＫ（メチルエチルケトン）      …  ５９．９重量部
トルエン                          …  ３０重量部
〔ＯＶＤ形成層〕
ウレタン樹脂                      …  ２５重量部
ＭＥＫ                            …  ５０重量部
トルエン                          …  ２５重量部
〔接着層〕
塩化ビニル・酢酸ビニル共重合体    …  １５重量部
アクリル樹脂                      …  ５重量部
酢酸エチル                        …  ５０重量部
酢酸ブチル                        …  ３０重量部
（３）ＯＶＤ機能層の転写
（１）にて作製したラベル基材上に（２）のＯＶＤ転写箔材を、125℃に熱した転写版を1.5tの圧力をかけて転写した。その際、図１のような形状でＯＶＤ機能層で形成されるように、転写版の形状を設計して作製した。
【００３９】
（４）粘着材の塗布
ラベル基材の他方の主面に１２０００ｍＮ／２５ｍｍの粘着力を持つアクリル系の粘着剤を塗布し、前記ＩＣタグを積層形成した。最後に、クラフト紙の片面にポリエチレンをラミネートし、その上にシリコン処理を施したセパレータ（厚さ１１２μｍ）を仮粘着して封印ラベルＡを作製した。
【００４０】
＜比較例＞
（１）溶剤反応インキ層の印刷
厚み５０μｍコート紙からなるラベル基材（幅６０ｍｍ、長さ３９ｍｍ）に、フレキソ印刷により、溶剤反応インキ層２種類をパターンで印刷した。
【００４１】
（２）粘着材の塗布
ラベル基材の他方の主面に１２０００ｍＮ／２５ｍｍの粘着力を持つアクリル系の粘着剤を塗布し、前記ＩＣタグを積層形成した。最後に、クラフト紙の片面にポリエチレンをラミネートし、その上にシリコン処理を施したセパレータ（厚さ１１２μｍ）を仮粘着して封印ラベルを作製した。
【００４２】
実施例の封印ラベル及び比較例の封印ラベルの双方にポリカーボネート製のケースに貼り付けた後、エタノールおよび石油系溶剤を用いてラベルを剥がす事ができたが、ラベル上の印刷は有機溶剤で流れて消失した。
【００４３】
その際、実施例の封印ラベルでは、ＯＶＤ機能層に積層された部分は流れず、図４に示すように部分的に消失するため、目視で明確に偽造行為を判定することができた。さらに、消失した印刷部分を似た色味のインキで印刷して復元しようとしても、ＯＶＤ機能層の境界部分を位置精度良く印刷する必要があるため、元どおりに復元することは困難であった。
【００４４】
一方、比較例の封印ラベルでは、全て消失するため、素早く見た場合は気づかない場合がある。さらに、綺麗に印刷して元どおりに復元することも可能であった。
【００４５】
なお、本発明は、上記実施の形態に限ることなく、その他、実施段階ではその要旨を逸脱しない範囲で種々の変形を実施し得ることが可能である。更に、上記実施形態には、種々の段階の発明が含まれており、開示される複数の構成要件における適宜な組合せにより、種々の発明が抽出され得る。
【００４６】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【産業上の利用可能性】
【００４７】
本発明によれば、有機溶剤を用いて貼付体から剥がそうとすると、溶剤反応インキが溶解してそのパターンが変形もしくは消失し、その痕跡を残す事ができ、ＯＶＤ機能層の下部にある溶剤反応インキ層の染料もしくは顔料が流れないため変化せず、その違いを目視で認識することができ、しかも、溶剤反応インキ層がパターンで印刷され、その一部に積層するように位置を合わせてパターン状のＯＶＤ機能層が設けられていることにより、有機溶剤によって色が消失した溶剤反応インキ層に色味の似たインキを用いて同様に印刷しても、高度な位置合わせ精度が必要となり、復元が困難なことにより、偽造防止の促進を実現した封印ラベルを提供することができる。
【符号の説明】
【００４８】
Ａ  …  封印ラベル
Ｂ  …  ＯＶＤ転写箔材
１  …  ラベル基材
２１a、２２a  …  溶剤反応インキ層（有機溶剤によっても変化しない部分）
２１b、２２b  …  溶剤反応インキ層（有機溶剤によって変化する部分）
３  …  ＯＶＤ機能層
４  …  接着層（粘着材）
４１  …  空隙の部分
５  …  セパレータ
３１  …  ＯＶＤ機能層支持体
３２  …  剥離保護層
３３  …  ホログラム形成層
３４  …  アルミ薄膜層
３５  …  マスク層
３６  …  接着層
【図１】
2014178345.tif 000003
【図２】
2014178345.tif 000004
【図３】
2014178345.tif 000005
【図４】
2014178345.tif 000006
【図５】
2014178345.tif 000007